(57)【要約】      （修正有）【課題】検査対応業務を支援する検査対応業務支援システムを提供する。【解決手段】検査に関連する種々の文書が格納された文書格納部１と、これに格納された文書を解析して文書毎の文書特性情報を抽出する文書特性情報抽出部２と、これで抽出された文書特性情報を格納する文書特性情報格納部３と、文書格納部１に格納された監査結果を含む過去の記録文書を解析して過去の要求履歴を抽出する要求履歴解析部４と、これで抽出された過去の要求履歴を格納する要求履歴格納部５と、要求事項を入力する要求入力部６と、入力された要求事項を解釈する要求解釈部７と、解釈された要求事項に応じて文書特性情報格納部３および要求履歴格納部５に格納されている文書特性情報および要求履歴の内から要求された要求文書を選定する要求文書選定部８と、選定した文書を収集する要求文書収集部９と、収集された要求結果を提示する要求文書提示部１０とを備える。【選択図】図２
2020106879.tif 000002
【特許請求の範囲】
【請求項１】
検査に関連する種々の文書が格納された文書格納部と、
前記文書格納部に格納された文書を解析して文書毎の文書特性情報を抽出する文書特性情報抽出部と、
前記文書特性情報抽出部で抽出された文書特性情報を格納する文書特性情報格納部と、
前記文書格納部に格納された監査結果を含む過去の記録文書を解析して過去の要求履歴を抽出する要求履歴解析部と、
前記要求履歴解析部で抽出された過去の要求履歴を格納する要求履歴格納部と、
要求事項を入力する要求入力部と、
前記要求入力部で入力された要求事項を解釈する要求解釈部と、
前記要求解釈部で解釈された要求事項に応じて前記文書特性情報格納部に格納されている前記文書特性情報、および前記要求履歴格納部に格納されている前記要求履歴の内から要求された要求文書を選定する要求文書選定部と、
前記要求文書選定部が選定した文書を収集する要求文書収集部と、
前記要求文書収集部で収集された要求結果を提示する要求文書提示部と、
を備えた検査対応業務支援システム。
【請求項２】
前記要求文書提示部で提示された要求結果の内、実際上必要な要求結果を指定して前記要求入力部から入力した場合に、これに応じて、選定入力された要求結果と前記要求文書提示部で提示された要求結果との差分の原因を学習して、前記文書特性情報格納部に格納されている前記文書特性情報、および前記要求履歴格納部に格納されている前記要求履歴をそれぞれ更新する要求履歴学習部を備える請求項１に記載の検査対応業務支援システム。
【発明の詳細な説明】
【技術分野】
【０００１】
本願は、検査対応業務を支援するシステムに関するものである。
【背景技術】
【０００２】
発電プラントなどでは、各設備が検査基準に適合していることを確認するために、定期的な検査を実施している。このような定期検査を含めた検査においては、プラント現場の検査担当者が各設備の仕様書、手順書、図面などの膨大な資料に基づいて、検査項目毎に検査要領書を作成する必要がある。また、外部の検査官が検査を審査する場合、検査官から検査結果を証明するエビデンスの提示を要求されると、検査担当者は関連するエビデンスの一式を急ぎ用意する必要がある。
【０００３】
従来の検査対応業務支援システムにおいては、法規制あるいは規格の条文毎に、対象分野などの各項目との意味的な関連性の程度を示す類似度を定義する機能を備えることにより、当該条文に関して既回答のあった異なる法規制あるいは規格などの類似度が近い他の条文の回答例を参考にすべき候補として選定して提示する機能を提供している（例えば、下記の特許文献１参照）。
【先行技術文献】
【特許文献】
【０００４】
【特許文献１】特許第４９０５２４７号
【発明の概要】
【発明が解決しようとする課題】
【０００５】
従来の検査対応業務支援システムは以上のように構成されているので、法規制あるいは規格の条文毎に、対象分野などの各データ項目との意味的な関連性の程度を示す類似度を予め定義した情報を新たに付加する作業が必要であった。また、対象文書である法規制あるいは規格の条文が、対象分野などのデータ項目毎に分類されていることが前提であるため、膨大な数を作成し、さらに日々更新されるような、設計文書などの文書を対象とすることは困難であるという問題点があった。
【０００６】
本願は、上記のような課題を解決するための技術を開示するものであり、従来の検査対応業務において、多大な時間と労力を要していた関連文書の収集を、類似度の定義などの作業を予め実施する必要なく、迅速かつ確実に実施できるようにすることを目的とする。
【課題を解決するための手段】
【０００７】
本願に開示される検査対応業務支援システムは、検査に関連する種々の文書が格納された文書格納部と、前記文書格納部に格納された文書を解析して文書毎の文書特性情報を抽出する文書特性情報抽出部と、前記文書特性情報抽出部で抽出された文書特性情報を格納する文書特性情報格納部と、前記文書格納部に格納された監査結果を含む過去の記録文書を解析して過去の要求履歴を抽出する要求履歴解析部と、前記要求履歴解析部で抽出された過去の要求履歴を格納する要求履歴格納部と、要求事項を入力する要求入力部と、前記要求入力部で入力された要求事項を解釈する要求解釈部と、前記要求解釈部で解釈された要求事項に応じて前記文書特性情報格納部に格納されている前記文書特性情報、および前記要求履歴格納部に格納されている前記要求履歴の内から要求された要求文書を選定する要求文書選定部と、前記要求文書選定部が選定した文書を収集する要求文書収集部と、前記要求文書収集部で収集された要求結果を提示する要求文書提示部と、を備えている。
【発明の効果】
【０００８】
本願に開示される検査対応業務支援システムによれば、従来、多大な時間と労力を要していた関連文書の収集を、類似度の定義などの作業を予め実施する必要なく、迅速に実施することが可能になる。
【図面の簡単な説明】
【０００９】
【図１】本願の実施の形態１による検査対応業務支援システムのハードウェア構成図である。
【図２】実施の形態１の検査対応業務支援システムの機能ブロック図である。
【図３】実施の形態１の検査対応業務支援システムの処理内容を示すフローチャートである。
【図４】実施の形態１の検査対応業務支援システムの処理内容を示すフローチャートである。
【図５】図２の機能ブロック図における文書特性情報格納部に格納されている文書特性情報の一例を示す説明図である。
【図６】図２の機能ブロック図における要求履歴格納部に格納されている要求履歴の一例を示す説明図である。
【図７】図２の機能ブロック図における要求文書提示部の出力画面の一例を示す説明図である。
【図８】本願の実施の形態２の検査対応業務支援システムの機能ブロック図である。
【発明を実施するための形態】
【００１０】
実施の形態１．
図１は、本願の実施の形態１による検査対応業務支援システムのハードウェア構成図である。
【００１１】
実施の形態１による検査対応業務支援システムは、プロセッサ１０１、メモリ１０２、補助記憶装置としてのハードディスク１０３、入力装置１０４、出力装置１０５、およびこれらを接続するシステムバス１０６からなる。メモリ１０２は、図示していないが、ランダムアクセスメモリ等の揮発性記憶装置と、フラッシュメモリ等の不揮発性の補助記憶装置とを具備する。
【００１２】
図２はこの実施の形態１の検査対応業務支援システムを示す機能ブロック図である。
【００１３】
図２に示す、文書格納部１、文書特性情報格納部３、および要求履歴格納部５は、図１に示すハードディスク１０３により実現される。また、図２に示す、文書特性情報抽出部２、要求履歴解析部４、要求解釈部７、要求文書選定部８、および要求文書収集部９は、図１に示すプロセッサ１０１がメモリ１０２またはハードディスク１０３に記憶されたプログラムを実行することにより実現される。なお、複数のプロセッサ１０１および複数のメモリ１０２および複数のハードディスク１０３が連携して上記機能を実現してもよい。
【００１４】
図２に示す、要求入力部６は、図示しないキーボード、タッチパネル、音声入力デバイス等の単体またはこれらの組み合わせで構成されており、また、要求文書提示部１０は、単一または複数個のディスプレイ等で構成されている。
【００１５】
図３および図４は、この実施の形態１の検査対応業務支援システムの処理内容を示すフローチャートである。ここでは、この検査対応業務支援システムにおいて、検査官から検査結果を証明する関連文書の提示を要求された場合を例にとってその処理内容について説明する。なお、符号のＳは各処理ステップを意味する。
【００１６】
文書格納部１には、予め全ての検査に関連する文書が格納されている。すなわち、文書格納部１には、仕様書、設計書、手順書、図面、規制文書、過去の監査結果などの多様な文書が混在して格納されている。
【００１７】
事前準備として、プラント現場の検査担当者は、図３に示すように、事前準備の要求を入力すると、要求解釈部７は、入力された要求に応じた指令を文書特性情報抽出部２と要求履歴解析部４にそれぞれ出力する（Ｓ１）。
これに応じて、文書特性情報抽出部２は、上記文書格納部１に格納された文書を解析して文書毎の特性を抽出し（Ｓ２）、抽出した文書特性情報を文書特性情報格納部３に格納する（Ｓ３）。
【００１８】
検査結果を証明する文書は、その文書の書式、様式といったフォーマットが概略決まっており、また、これに使用される用語なども共通していることが多い。したがって、文書特性情報抽出部２において、文書の構成パターンを予め登録しておくことにより、文書特性の抽出、解析が可能となる。例えば、「耐震設計書」である場合、対象の設備が異なる場合でも、章の構成は同じような構成となる。また、文書からキーワードを抽出する簡単な方法としては、文書の章、図および表の名称をキーワードとして抽出する方法がある。
【００１９】
文書特性情報格納部３に格納されている文書特性情報２０１の一例を図５に示す。ここでは、文書特性情報として、文書名、文書形式タイプ、格納フォルダ含むファイル名、キーワードなどが表形式で管理されている。
【００２０】
また、要求履歴解析部４は、要求解釈部７からの要求に応じて、上記文書格納部１に格納された監査結果などの過去の記録文書を解析し（Ｓ４）、解析の結果得られた過去の文書提示に関する履歴である要求履歴を要求履歴格納部５に格納する（Ｓ５）。要求履歴格納部５に格納されている要求履歴２０２の一例を図６に示す。ここでは、要求履歴の一例として、要求事項、要求事項から抽出されたキーワード、提示文書が表形式で管理されている。
【００２１】
次に、検査官が関連文書の提示を要求した場合、これに応じて、プラント現場の検査担当者がこの実施の形態１による検査対応業務支援システムを用いることにより、提示された要求事項に関する関連文書を自動で収集して提示する処理動作について説明する。
【００２２】
図４に示すように、検査担当者が要求入力部６から検査官が提示を要求した文書に関する情報を入力すると（Ｓ６）、これが要求解釈部７に与えられる。
【００２３】
要求解釈部７は、入力された要求の情報からキーワードを一個または複数個抽出する（Ｓ７）。例えば、検査官に「××機能のポンプが頑健であることを示す文書を提示してください。」と要求された場合、「××機能」、「ポンプ」、「頑健」がキーワードとして抽出する。そして、このように抽出したキーワードを要求文書選定部８に出力する。
【００２４】
要求文書選定部８は、上記の要求解釈部７から与えられるキーワードを元に、要求履歴格納部５に格納されている要求履歴、および文書特性情報格納部３にそれぞれ格納されている文書特性情報の内から、要求された可能性の高い文書を選定する（Ｓ８）。
【００２５】
すなわち、要求履歴格納部５に格納されている要求履歴に関しては、要求文書選定部８は、まず、要求解釈部７から入力された要求文書のキーワードと、要求履歴格納部５に格納されている過去の要求事項のキーワードとを比較する。
【００２６】
要求解釈部７で抽出された今回の要求文書のキーワードは、上記の例では「××機能」、「ポンプ」、「頑健」であるが、要求履歴格納部５に格納されている過去の要求事項Ｎｏ１と要求事項Ｎｏ２のキーワードが、例えば「機能」、「ポンプ」という用語が含まれていると、要求文書選定部８は両者が互いに類似していると判定する。
【００２７】
引き続いて、要求文書選定部８は、上記により互いに類似していると判定された要求事項Ｎｏ１と要求事項Ｎｏ２について、その要求事項Ｎｏ１と要求事項Ｎｏ２の提示文書の文書特性情報を読み込み、各提示文書の特性を認識する。
【００２８】
例えば、「○○ポンプ耐震設計書」と「××ポンプ耐震設計書」の文書形式が同じであり、キーワードも「ポンプ」で類似しているが、「○○ポンプ」と「××ポンプ」との名称の違いがあることから、同種の文書であるものの、対象設備が違うことを認識する。上記結果より、今回要求された可能性の高い文書として、「××ポンプ耐震設計書」、「××ポンプ耐久証明」、「××ポンプ設計書」を選定する。
【００２９】
要求文書収集部９は、このようにして要求文書選定部８で選定された文書を収集し、該当文書の一覧情報を作成して、要求文書提示部１０に出力する（Ｓ９）。要求文書提示部１０は、要求文書収集部９から入力された文書をディスプレイ等に提示する（Ｓ１０）。要求文書提示部１０の出力画面２０３の一例を図７に示す。
【００３０】
なお、上記の説明は、要求履歴格納部５に格納されている要求履歴に関して、その内から要求された可能性の高い文書を選定、収集して要求文書提示部１０に提示する場合であるが、文書特性情報格納部３に格納されている文書特性情報に関して、その内から要求された可能性の高い文書を選定、収集して要求文書提示部１０に提示する場合の動作についても、基本的に同じなので、ここでは詳しい説明は省略する。
【００３１】
以上のように、本願の実施の形態１に係る検査対応業務支援システムによれば、多大な時間と労力を要していた関連文書の収集を、類似度の定義などの作業を予め実施する必要なく、迅速に実施することが可能になる。
【００３２】
なお、この実施の形態１では、キーワードを用いて、今回の要求と過去の要求履歴とを比較する場合について説明したが、それだけに限定されるものではない。また、この実施の形態１では、文章特性情報として、キーワードと文書形式を用いて、文章間を比較するようにしているが、それだけに限定されるものではない。例えば、文節の配置、あるいは、章の区分などの類似度を比較するなどの手法も考えられる。
【００３３】
実施の形態２．
図８は本願の検査対応業務支援システムの実施の形態２を示す機能ブロック図である。
【００３４】
この実施の形態２の特徴は、図２に示した実施の形態１の機能ブロック図に対して、要求履歴学習部１１が追加されていることである。なお、ハードウェア構成図は図１に示した実施の形態１のハードウェア構成図と同様である。
【００３５】
この実施の形態２において、要求入力部６から要求された文書に応じて要求文書提示部１０で適合した文書を提示するまでの処理動作（図４のＳ６〜Ｓ１０）は実施の形態１と同様であるので、説明は省略する。
【００３６】
ここでは、要求された文書を提示した後、要求履歴学習部１１によりその提示の結果をフィードバックすることで提示精度を向上させる動作について説明する。
【００３７】
この実施の形態２において、要求文書提示部１０で図７に示したような要求文書の提示を終えた後、検査担当者は、要求文書提示部１０で提示された要求結果の内から、実際上必要な要求結果を指定して入力する。例えば、検査官に「××機能のポンプが頑健であることを示す文書を提示してください。」と要求された内容は、実際には図７で「××ポンプ耐震設計書」と、「××ポンプ耐久証明」だけであって、「××ポンプ設計書」の提示までは要求されていない場合、「××ポンプ耐震設計書」と「××ポンプ耐久証明」の事項を実際上必要な要求結果として指定して入力する。これに応じて、要求履歴学習部１１は、指定された要求と、要求されていた文書を要求履歴格納部５に格納する。
【００３８】
さらに、要求履歴学習部１１は、今回、要求入力部６から入力された実際に要求されていた結果と、要求文書提示部１０に提示された実際の結果との差分の原因が文書特性情報にあると判断した場合には、文書特性情報を更新して文書特性情報格納部３に格納する。例えば、実施の形態１の例で説明すると、「○○ポンプ耐震設計書」と「××ポンプ耐震設計書」とが、キーワードの不足により、同種の文書であり、対象設備の違いであることが分からなかった場合、不足していると推測されるキーワードを追加する。例えば、キーワードとして「耐震値」が不足していた場合、図５に示すように、この「耐震値」を追加する。
【００３９】
以上のように、本願の実施の形態２に係る検査対応業務支援システムによれば、要求履歴学習部１１で学習した提示の結果を要求履歴格納部５または文書特性情報格納部３にフィードバックすることにより、多大な時間と労力を要していた関連文書の収集を迅速に実施できるだけでなく、さらに、使用回数が増えるほど提示精度を高めることが可能になる。
【００４０】
なお、この実施の形態２では、要求履歴学習部１１は、簡単な手法を用いて、要求履歴および文書特性情報を更新する仕方について説明したが、それだけに限定されるものではなく、深層学習を含む機械学習などの人工知能を利用することも可能である。
【００４１】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００４２】
１  文書格納部、２  文書特性情報抽出部、３  文書特性情報格納部、
４  要求履歴解析部、５  要求履歴格納部、６  要求入力部、７  要求解釈部、
８  要求文書選定部、９  要求文書収集部、１０  要求文書提示部、
１１  要求履歴学習部。
【図１】
2020106879.tif 000003
【図２】
2020106879.tif 000004
【図３】
2020106879.tif 000005
【図４】
2020106879.tif 000006
【図５】
2020106879.tif 000007
【図６】
2020106879.tif 000008
【図７】
2020106879.tif 000009
【図８】
2020106879.tif 000010